(57)【要約】【課題】  背景の情報を残しつつインクの使用量やコストの節約を可能とする装置などを提供すること。【解決手段】  画像変換装置であって、入力された画像から人体の一部又は全部を検出する検出手段と、前記検出手段により検出された人体の一部又は全部に基づき、人体を含む注目領域を設定する領域設定手段と、前記入力された画像のうち、前記注目領域以外の部分である背景部分に対し、特定色の部分を増加させる処理を行うことにより、変換画像を取得する加工手段とを含む。【選択図】  図１
2006108723.tif 000002
【特許請求の範囲】
【請求項１】
入力された画像から人体の一部又は全部を検出する検出手段と、
前記検出手段により検出された人体の一部又は全部に基づき、人体を含む注目領域を設定する領域設定手段と、
前記入力された画像のうち、前記注目領域以外の部分である背景部分に対し、特定色の部分を増加させる処理を行うことにより、変換画像を取得する加工手段と
を含む画像変換装置。
【請求項２】
前記加工手段は、前記背景部分のうち特定色と似ている色を有する部分の色を、前記特定色に変更する請求項１に記載の画像変換装置。
【請求項３】
前記特定色は白色であり、
前記加工手段は、前記背景部分のうち明度が閾値以上である部分の色を白色に変更する請求項１に記載の画像変換装置。
【請求項４】
前記特定色は白色であり、
前記加工手段は、前記背景部分の明度を高くする
請求項１に記載の画像変換装置。
【請求項５】
前記加工手段は、前記特定色の部分と透過部分とを含むパターンを前記背景部分に合成する請求項１に記載の画像変換装置。
【請求項６】
ユーザが入力を行うための入力手段をさらに備え、
前記加工手段は、前記パターンに含まれる前記特定色の部分と前記透過部分との割合をユーザによる入力に従って変更する
請求項５に記載の画像変換装置。
【請求項７】
前記特定色は白色であり、
前記加工手段は、前記背景部分を複数の領域に分割し、各領域に対して合成するパターンに含まれる前記特定色の部分と前記透過部分との割合を、前記各領域における明度に基づいて決定する
請求項５に記載の画像変換装置。
【請求項８】
ユーザが入力を行うための入力手段をさらに備え、
前記加工手段は、前記背景部分を複数の領域に分割し、各領域に対して合成するパターンに含まれる前記特定色の部分と前記透過部分との割合をユーザによる入力に従って変更する
請求項５に記載の画像変換装置。
【請求項９】
前記特定色を地色として有するシートに対し、前記特定色の部分に対してインク又はトナーを用いることなく前記変換画像を印刷する印刷手段をさらに含む請求項１〜８のいずれかに記載の画像変換装置。
【請求項１０】
入力された画像から人体の一部又は全部を検出する検出手段と、
前記検出手段により検出された人体の一部又は全部に基づき、人体を含む注目領域を設定する領域設定手段と、
前記入力された画像のうち、前記注目領域以外の部分である背景部分に対し、グレースケールの色の部分を増加させる処理を行うことにより、変換画像を取得する加工手段と
を含む画像変換装置。
【請求項１１】
前記加工手段は、前記背景部分の各画素の彩度を無くす処理を行う請求項１０に記載の画像変換装置。
【請求項１２】
前記加工手段は、前記背景部分において彩度の低い部分に対し、その部分の彩度を無くす処理を行う請求項１０に記載の画像変換装置。
【請求項１３】
前記加工手段は、前記背景部分において、黒と相関の高い色の部分に対し、その部分の彩度を無くす処理を行う請求項１０に記載の画像変換装置。
【請求項１４】
前記加工手段は、前記背景画像をＣＭＹＫ表色系に色分解し、Ｋの値が閾値よりも高い部分についてはＣＭＹの値をゼロとする請求項１０に記載の画像変換装置。
【請求項１５】
少なくとも背景部分に含まれる黒の部分については黒のインク又はトナーを用いることにより、前記変換画像を印刷する印刷手段をさらに含む請求項１０〜１４のいずれかに記載の画像変換装置。
【請求項１６】
入力された画像から人体の一部又は全部を検出するステップと、
検出された人体の一部又は全部に基づき、人体を含む注目領域を設定するステップと、
前記入力された画像のうち、前記注目領域以外の部分である背景部分に対し、特定色の部分を増加させる処理を行うことにより、変換画像を取得するステップと
を情報処理装置に実行させるためのプログラム。
【請求項１７】
入力された画像から人体の一部又は全部を検出するステップと、
検出された人体の一部又は全部に基づき、人体を含む注目領域を設定するステップと、
前記入力された画像のうち、前記注目領域以外の部分である背景部分に対し、グレースケールの色の部分を増加させる処理を行うことにより、変換画像を取得するステップと
を情報処理装置に実行させるためのプログラム。
【請求項１８】
情報処理装置が、入力された画像から人体の一部又は全部を検出するステップと、
情報処理装置が、検出された人体の一部又は全部に基づき、人体を含む注目領域を設定するステップと、
情報処理装置が、前記入力された画像のうち、前記注目領域以外の部分である背景部分に対し、特定色の部分を増加させる処理を行うことにより、変換画像を取得するステップと
を含む画像変換方法。
【請求項１９】
情報処理装置が、入力された画像から人体の一部又は全部を検出するステップと、
情報処理装置が、検出された人体の一部又は全部に基づき、人体を含む注目領域を設定するステップと、
情報処理装置が、前記入力された画像のうち、前記注目領域以外の部分である背景部分に対し、グレースケールの色の部分を増加させる処理を行うことにより、変換画像を取得するステップと
を含む画像変換方法。
【発明の詳細な説明】
【技術分野】
【０００１】
本発明は、画像（特に人の顔や体が撮像された画像）を印刷する印刷装置や、印刷装置に対して出力される画像を編集する情報処理装置、ソフトウェア等に適用されて有効な技術に関する。
【背景技術】
【０００２】
従来から、家庭用プリンタには、出力品質やインク使用量に従って複数の印刷モードが提供されていた。ユーザは、目的に応じて印刷モードを変更することにより、印刷に使用されるインクの量やコストを節約することができた。例えば、特に高品質で出力する必要のない画像については、ユーザは低画質の印刷モードを選択することによりインクの量やコストを節約できた。
【０００３】
しかしながら、従来の技術では、印刷モードとして選択された印刷方法は、画像単位で適用されていた。即ち、１枚の画像を印刷する場合には、この画像の全体に共通の印刷モードが適用されていた。このため、例えば１枚の画像中に高画質で印刷したい部分と低画質で印刷したい部分とが混在している場合であっても、ユーザは高画質か低画質かのいずれか一方の印刷モードしか選択することができなかった。
【０００４】
このような問題に対し、印刷される画像の中から特定の背景色（例えば、印刷を行う紙の色と同色）の部分を削除し、その結果の画像を印刷することにより背景色のインクやインクリボンやの消費やコストを節約する技術がある（特許文献１参照）。
【０００５】
また、直接的にインクの節約を図った技術ではないが、印刷される画像から背景となる部分を抽出し、かかる背景をグレーなどの単調な色で塗りつぶす技術も提案されている（特許文献２参照）。このような技術によれば、背景に使用される様々な色のインクを節約することが可能となる。また、この技術と同様に、画像中の一部分（例えば背景部分）を抽出し、抽出された一部分について特定の画像処理や画像変換を行う技術は他にもいくつか提案されている（特許文献３〜６参照）。
【特許文献１】特開平０６−２３７３７４号公報
【特許文献２】特開２０００−３２１６５２号公報
【特許文献３】特開平０５−２４９９５１号公報
【特許文献４】特開平０９−２００７１４号公報
【特許文献５】特開平１０−１３７９９号公報
【特許文献６】特開２０００−２４４８１０号公報
【発明の開示】
【発明が解決しようとする課題】
【０００６】
しかしながら、上記のいずれの技術によっても、背景の情報を残しつつ印刷環境に依存しないインクの使用量やコストの節約は実現されていなかった。例えば、上記の前者の技術によれば、背景部分の青インクを節約するためには青い印刷用紙を用意する必要があり、節約可能なインクの色は印刷環境に依存していた。また、上記の後者の技術によれば、背景が単調な色によって塗りつぶされてしまっていたため、背景の情報が全て失われてしまうという問題があった。
【０００７】
そこで本発明は、背景の情報を残しつつインクの使用量やコストの節約を可能とする装置などを提供することを目的とする。
【課題を解決するための手段】
【０００８】
以下の説明において、肌の色とはあらゆる人・人種の肌の色を意味し、特定の人・人種の肌の色には限定されない。
【０００９】
〈第一の態様〉
上記課題を解決するため、本発明の第一の態様である画像変換装置は、検出手段，領域設定手段，及び加工手段を含む。検出手段は、入力された画像から人体の一部又は全部を検出する。検出手段は、パターンマッチングや肌の色の領域を検出する技術など、既存のどのような技術を適用することにより実現されても良い。領域設定手段は、検出手段により検出された人体の一部又は全部に基づき、人体を含む注目領域を設定する。検出手段と領域設定手段との協働によって設定される注目領域は、画質を維持するため、以下の加工手段の処理対象とはならない。即ち、加工手段は、入力された画像のうち、注目領域以外の部分である背景部分に対し、特定色の部分を増加させる処理を行うことにより、変換画像を取得する。特定色とは、変換画像が印刷されるシートの地色と同じ又は似た色であることが望ましい。例えば、一般的に使用されるシートは白色であるため、デフォルトの値として特定色に白色が設定されていても良い。
【００１０】
このような画像変換装置では、背景部分に特定色の部分を多く含む変換画像が取得される。ところで、特定色と、印刷に使用されるシートの地色とが同一又は似ている場合は、シートの地色をそのまま用いることにより、特定色の部分について印刷を省略することが可能となる。従って、本発明の画像変換装置によって取得される変換画像を印刷することにより、変換前の画像を印刷する場合に比べて特定色の部分が多いため、インクの使用量やコストを節約することが可能となる。
【００１１】
本発明の第一の態様における加工手段は、背景部分のうち特定色と似ている色を有する部分の色を、特定色に変更するように構成されても良い。特定色と似ている色とは、例えば明度，彩度，色相のいずれか一つ又は複数に基づいて判定することが可能である。他にも、Ｌａｂ表色系やＲＧＢ表色系に基づいて、特定色と似ている色を判定することも可能である。このような加工を行うことにより、もともと特定色と似ている部分が特定色として印刷されるため、より自然な画像を生成しつつ、インクの使用量やコストを節約することが可能となる。
【００１２】
本発明の第一の態様における特定色が白色である場合、加工手段は、背景部分のうち明度が閾値以上である部分の色を白色に変更するように構成されても良い。明度が高い部分は、特定色である白色に近い色を有する。従って、明度が高い部分を白色として印刷することにより、より自然な画像を生成しつつ、インクの使用量やコストを節約することが可能となる。
【００１３】
本発明の第一の態様における特定色が白色である場合、加工手段は、背景部分の明度を高くするように構成されても良い。明度が高くなれば、各色は白色に近くなり、その色を表現する際に使用されるインクの量は減少する。また、もともと白色に近い色は、明度が高くされることにより白色となる場合もある。この場合は、インクが不要となるためさらにインクの使用量やコストを節約することが可能となる。
【００１４】
本発明の第一の態様における加工手段は、特定色の部分と透過部分とを含むパターンを背景部分に合成するように構成されても良い。透過部分とは、合成後にも、元々の背景画像における画像がそのまま維持される部分である。このように構成されることにより、背景部分の画像を残しつつ、特定色の部分を増加させることが可能となる。従って、より自然な画像を生成しつつ、インクの使用量やコストを節約することが可能となる。
【００１５】
本発明の第一の態様における画像変換装置は、ユーザが入力を行うための入力手段をさらに備えても良い。この場合、加工手段は、パターンに含まれる特定色の部分と透過部分との割合をユーザによる入力に従って変更するように構成されても良い。例えば、ユーザによってインクの節約量を高くするよう入力があった場合には、加工手段は、特定色の部分の割合を高く設定しても良い。一方、ユーザによって画質を高く維持するよう入力があった場合には、加工手段は、透過部分の割合を高く設定しても良い。
【００１６】
本発明の第一の態様における特定色が白色の場合、加工手段は、背景部分を複数の領域に分割し、各領域に対して合成するパターンに含まれる特定色の部分と透過部分との割合を、各領域における明度に基づいて決定するように構成されても良い。明度が高い領域は、白色に近い色を有する。従って、明度が高い領域に対しては特定色の部分の割合が高いパターンを合成することにより、より自然な画像を生成しつつ、インクの使用量やコストを節約することが可能となる。一方、明度が低い領域、即ち白色に近くない色を有する部分については透過部分の割合を高くすることにより、画質を維持することが可能となる。
【００１７】
本発明の第一の態様における画像変換装置は、ユーザが入力を行うための入力手段をさらに備えても良い。この場合、加工手段は、背景部分を複数の領域に分割し、各領域に対して合成するパターンに含まれる特定色の部分と透過部分との割合をユーザによる入力に従って変更するように構成されても良い。
【００１８】
本発明の第一の態様における画像変換装置は、特定色を地色として有するシートに対し、特定色の部分に対してインク又はトナーを用いることなく変換画像を印刷する印刷手段をさらに含むように構成されても良い。このような印刷手段によれば、特定色の部分に対して使用されるインク又はトナーを節約した印刷を行うことが可能となる。
【００１９】
〈第二の態様〉
本発明の第二の態様は、画像変換装置であって、検出手段，領域設定手段，及び加工手段を含む。検出手段は、入力された画像から人体の一部又は全部を検出する。領域設定手段は、検出手段により検出された人体の一部又は全部に基づき、人体を含む注目領域を設定する。そして、加工手段は、入力された画像のうち、注目領域以外の部分である背景部分に対し、グレースケールの色の部分を増加させる処理を行うことにより、変換画像を取得する。
【００２０】
このように構成された本発明の第二の態様では、背景部分にグレースケールの色が増加した変換画像が取得される。グレースケールの色は、一般的にコストの安い黒インクやトナーを用いることによって印刷することが可能である。従って、本発明の第二の態様によって取得される変換画像を上記のように印刷することにより、インクやトナーのコストを抑えることが可能となる。
【００２１】
本発明の第二の態様における加工手段は、背景部分の各画素の彩度を無くす処理を行うように構成されても良い。
【００２２】
本発明の第二の態様における加工手段は、背景部分において彩度の低い部分に対し、その部分の彩度を無くす処理を行うように構成されても良い。一般的に、彩度の低い部分は元々の色がグレースケールの色に近い。このため、このような部分の色をグレースケールの色に変えることにより、より自然な画像を生成しつつ、インクのコストを節約することが可能となる。
【００２３】
本発明の第二の態様における加工手段は、背景部分において、黒と相関の高い色の部分に対し、その部分の彩度を無くす処理を行うように構成されても良い。
【００２４】
本発明の第二の態様における加工手段は、背景画像をＣＭＹＫ表色系に色分解し、Ｋの値が閾値よりも高い部分についてはＣＭＹの値をゼロとするように構成されても良い。
【００２５】
本発明の第二の態様は、少なくとも背景部分に含まれる黒の部分については黒のインク又はトナーを用いることにより、変換画像を印刷する印刷手段をさらに含むように構成されても良い。
【００２６】
〈その他〉
第一及び第二の態様は、プログラムが情報処理装置によって実行されることによって実現されても良い。即ち、上記した第一及び第二の態様における各手段が実行する処理を情報処理装置に対して実行させるためのプログラム、或いは当該プログラムを記録した記録媒体をもって上述した作用及び効果が得られても良い。また、第一及び第二の態様における各手段が実行する処理を情報処理装置が実行する方法をもって上述した作用及び効果が得られても良い。また、第一及び第二の態様は、プリンタ等の印刷装置に備えられても良い。
【発明の効果】
【００２７】
本発明によれば、印刷を行った際に使用されるインクの量やそのコストを抑えることが可能となる画像を取得することが可能となる。
【発明を実施するための最良の形態】
【００２８】
次に、図を用いて画像変換装置について説明する。なお、画像変換装置についての以下の説明は例示であり、その構成や動作などは以下の説明に限定されない。
【００２９】
［第一実施形態］
〔システム構成〕
まず、画像変換装置１の第一実施形態である画像変換装置１ａのシステム構成について説明する。画像変換装置１ａは、ハードウェア的には、バスを介して接続されたＣＰＵ（中央演算処理装置），主記憶装置（ＲＡＭ：Random Access Memory），補助記憶装置などを備える。補助記憶装置は、不揮発性記憶装置を用いて構成される。ここで言う不揮発性記憶装置とは、いわゆるＲＯＭ（Read-Only Memory：ＥＰＲＯＭ（Erasable Programmable Read-Only Memory），ＥＥＰＲＯＭ（Electrically Erasable Programmable Read-Only
Memory），マスクＲＯＭ等を含む），ＦＲＡＭ（Ferroelectric RAM），ハードディスク等を指す。
【００３０】
図１は、機能ブロックの例を示す図である。画像変換装置１ａは、補助記憶装置に記憶された各種のプログラム（ＯＳ，アプリケーション等）が主記憶装置にロードされＣＰＵにより実行されることによって、入力部２，画像入力部３，画像記憶部４，背景画像取得部５，背景画像加工部６ａ，合成部７，及び画像出力部８等を含む装置として機能する。背景画像取得部５，背景画像加工部６ａ，及び合成部７は、プログラムがＣＰＵによって実行されることにより実現される。また、背景画像取得部５，背景画像加工部６ａ，及び合成部７は専用のチップとして構成されても良い。また、背景画像取得部５，背景画像加工部６ａ，及び合成部７によって実施される処理内容には、ハードウェア・ソフトウェアでの向き不向きがある。このため、これらはハードウェア・ソフトウェアのハイブリッドとして実装されても良い。以下、画像変換装置１ａが備える各機能部について説明する。
【００３１】
〈入力部〉
入力部２は、入力装置を用いて構成される。入力部２には、既存のどのような入力装置が適用されても良い。入力部２は、例えばキーボードやポインティングデバイス（マウス
，トラックボール，タブレットなど）や、ダイヤル式入力装置や、タッチパネルや、テンキーや、各種ボタンや、音声入力装置などを用いて構成される。
【００３２】
ユーザは、入力部２を介して画像変換装置に様々な命令や設定を入力することができる。例えば、ユーザは、注目領域の指定や、インク節約度合いなどを入力することができる。注目領域の指定とは、背景画像取得部５によって注目領域として扱われる部分の指定であり、例えば“人の顔の領域”，“人の全身の領域”，“肌色の領域”などがある。インク節約度合いとは、画像変換装置１ａによって出力される変換画像を印刷した場合に、原画像をそのまま印刷した場合に比べて実現されるインク節約の度合いを示す。インク節約度合いは、０〜１００等の数値によって表現されても良いし、“無”，“低”，“中”，“高”のように表現されても良い。
【００３３】
入力部２は、ユーザが画像変換装置１に対して上記のような入力操作を行うことが可能であれば、その他どのような入力装置を用いて構成されても良い。
【００３４】
〈画像入力部〉
画像入力部３は、原画像のデータを画像変換装置１ａへ入力するためのインタフェースとして機能する。画像入力部３によって、原画像のデータが画像変換装置１ａへ入力される。画像入力部３は、画像変換装置１ａへ原画像のデータを入力するためのどのような既存技術を用いて構成されても良い。
【００３５】
例えば、ネットワーク（例えばローカル・エリア・ネットワークやインターネット）を介して原画像のデータが画像変換装置１ａへ入力されても良い。この場合、画像入力部３はネットワークインタフェースを用いて構成される。また、デジタルカメラやスキャナやパーソナルコンピュータや記録装置（例えばハードディスクドライブ）等から原画像のデータが画像変換装置１ａへ入力されても良い。この場合、画像入力部３は、デジタルカメラやパーソナルコンピュータや記録装置などと画像変換装置１ａとをデータ通信可能に接続する規格（例えばＵＳＢ（Universal Serial Bus）やＳＣＳＩ（Small Computer System Interface）等の有線接続やｂｌｕｅｔｏｏｔｈ（登録商標）等の無線接続の規格）に
応じて構成される。また、記録媒体（例えば各種フラッシュメモリやフロッピー（登録商標）ディスクやＣＤ（Compact Disk）やＤＶＤ（Digital Versatile Disc、Digital Video Disc））に記録された原画像のデータが画像変換装置１ａへ入力されても良い。この場合、画像入力部３は、記録媒体からデータを読み出す装置（例えばフラッシュメモリリーダやフロッピーディスクドライブやＣＤドライブやＤＶＤドライブ）を用いて構成される。
【００３６】
また、画像変換装置１ａがデジタルカメラ等の撮像装置又はデジタルカメラ等の撮像装置を備える各種装置（例えばＰＤＡ（Personal Digital Assistant）や携帯電話機）の内部に含まれ、撮像された画像が原画像のデータとして画像変換装置１ａへ入力されても良い。この場合、画像入力部３は、ＣＣＤ（Charge-Coupled Devices）やＣＭＯＳ（Complementary Metal-Oxide Semiconductor）センサ等を用いて構成されても良いし、ＣＣＤや
ＣＭＯＳセンサなどによって撮像された原画像のデータを画像変換装置１ａに入力させるためのインタフェースとして構成されても良い。また、画像変換装置１ａが、プリンタやディスプレイ等の画像出力装置の内部に含まれ、出力データとしてこれらの画像出力装置に入力された画像が原画像のデータとして画像変換装置１ａへ入力されても良い。この場合、画像入力部３は、これらの画像出力装置に入力された原画像のデータを画像変換装置１ａにおいて取り扱い可能なデータに変換する装置などを用いて構成される。
【００３７】
また、画像入力部３は上記された複数の場合に応じることが可能となるように構成されても良い。
【００３８】
〈画像記憶部〉
画像記憶部４は、いわゆる補助記憶装置やいわゆるＲＡＭなどを用いて構成される。画像記憶部４は、画像入力部３を介して入力された原画像のデータを記憶する。また、画像記憶部４は、背景画像取得部５によって取得される背景画像，背景画像加工部６ａによって生成される加工背景画像，合成部７によって作成される変換画像を記憶する。
【００３９】
〈背景画像取得部〉
背景画像取得部５は、注目領域検出処理及びマスク処理を実行する。以下、注目領域検出処理とマスク処理とについて説明する。
【００４０】
〈〈注目領域検出処理〉〉
注目領域検出処理では、背景画像取得部５は、画像記憶部４から原画像のデータを読み出し、原画像から注目領域を検出し、検出された注目領域の位置等を示す注目領域情報を特定する。注目領域情報は、注目領域の位置や大きさなどを含む。注目領域の例として、人の顔の領域，人の全身の領域，肌色の領域などがある。背景画像取得部５は、ユーザによって設定された注目領域を検出する。以下に、注目領域として人の全身の領域が設定された場合の例について説明する。
【００４１】
まず、背景画像取得部５は、原画像から人の顔を検出し、各顔の顔情報を取得する。顔情報は、顔の縦幅，顔の横幅，及び顔の位置（例えば、顔の重心，顔の中心，顔を囲む矩形の位置）を含む。この場合、この顔情報が注目領域情報となる。顔の横幅は、例えば顔に含まれる両目が検出され、この両目の間隔が整数倍（例えば２倍）されることによって推測されても良い。また、顔の縦幅は、例えば顔に含まれる両目と口とが検出され、この両目の中心と口との間隔が整数倍（例えば２倍）されることによって推測されても良い。また、顔の重心は、両目と口との重心として推測されても良い。ただしこれらの場合、背景画像取得部５は、顔を検出した後に、それぞれの顔に含まれる両目や口を検出する必要がある。
【００４２】
背景画像取得部５は、例えば、顔全体の輪郭に対応した基準テンプレートを用いたテンプレートマッチングによって顔を検出するように構成されても良い。また、背景画像取得部５は、顔の構成要素（目，鼻，耳など）に基づくテンプレートマッチングによって顔を検出するように構成されても良い。また、背景画像取得部５は、クロマキー処理によって頭部などの頂点を検出し、この頂点に基づいて顔を検出するように構成されても良い。また、背景画像取得部５は、肌の色に近い領域を検出し、その領域を顔として検出するように構成されても良い。また、背景画像取得部５は、ニューラルネットワークを使って教師信号による学習を行い、顔らしい領域を顔として検出するように構成されても良い。また、背景画像取得部５による顔検出処理は、その他、既存のどのような技術が適用されることによって実現されても良い。
【００４３】
なお、背景画像取得部５は、画像内において複数の注目領域が検出された場合は、所定の基準に従って処理の対象とする注目領域を決定する。注目領域として人の全身の領域が設定されている場合、所定の基準とは、例えば顔の大きさ，向き，顔としての信頼度（例えばニューラルネットワークを使った学習により顔を検出する際に使用される顔らしさを示す値など）などである。背景画像取得部５は、所定の基準に従って、一つの注目領域のみを選択しても良いし、複数の注目領域を選択しても良い。また、背景画像取得部５は、画像内全ての注目領域を無条件で処理対象としても良い。
【００４４】
〈〈マスク処理〉〉
マスク処理では、背景画像取得部５は、注目領域検出処理において処理対象として選択
された注目領域についてマスキングを実施する。以下、注目領域として人の全身の領域が設定されている場合のマスク処理について説明する。
【００４５】
背景画像取得部５は、顔情報に含まれる顔の横幅，顔の縦幅，及び顔の位置に基づいてマスキングを実施する。図２は、マスク処理において用いられるマスク画像の例を示す図である。図２において、Ｗｈの値には顔の横幅が適用される。また、Ｗｂの値には顔の横幅に基づいた値（例えば２．５倍や３倍の値）が適用される。また、Ｈの値には顔の縦幅に基づいた値（例えば５倍や８倍の値）が適用される。また、ｇの位置は顔の重心が適用される。マスク処理では、背景画像取得部５は、図２に示されるようなマスク画像を作成しマスキングを実施する。そして、背景画像取得部５は、このようなマスキングにより、人物像が撮像されていると推測される部分が削除された画像（以下、「背景画像」と呼ぶ）を取得する。背景画像取得部５は、この背景画像を画像記憶部４に記憶させる。そして、背景画像取得部５は、背景画像加工部６ａに対して処理を実施するように指示する。
【００４６】
〈背景画像加工部〉
背景画像加工部６ａは、画像記憶部４に記憶されている背景画像を加工することにより、背景画像が印刷された場合にインクの節約が可能となる画像（以下、「加工背景画像」と呼ぶ）を生成する。具体的には、背景画像加工部６ａは、背景画像において特定色の部分を増加させることにより加工背景画像を作成する。このとき、特定色は、画像変換装置１ａから出力される変換画像が印刷されるシートの地色と似た色又は同じ色に設定されることが望ましい。一般的に画像が印刷されるシートの地色は白色であることが多いため、ここでは特定色が白色と設定された場合について動作の説明をする。
【００４７】
背景画像加工部６ａは、背景画像取得部５によって取得された背景画像を画像記憶部４から読み出す。そして、背景画像加工部６ａは、例えば特定色化処理，明度操作処理，パターン静的付加処理，パターン動的付加処理などを行うことによって加工背景画像を生成する。以下、特定色化処理，明度操作処理，パターン静的付加処理，パターン動的付加処理のそれぞれについて説明する。
【００４８】
〈〈特定色化処理〉〉
特定色化処理では、特定色が何色であるかに応じて背景画像加工部６ａが行う処理は変わる。まず、特定色が白色である場合について説明する。背景画像加工部６ａは、背景画像において明度の高い部分の色を白色に変更することによって加工背景画像を生成する。具体的には、まず背景画像加工部６ａは、背景画像の各画素について明度を取得する。次に、背景画像加工部６ａは、各画素の明度について、所定の閾値（例えば８ｂｉｔの深度の画像における“２４０”など）を超えているか否か判断し、超えている画素の色を白とする（例えば８ｂｉｔの深度のＲＧＢ画像の場合は、画素の値を“２５５  ２５５  ２５５”とする）。
【００４９】
なお、特定色が白色以外の場合は、背景画像加工部６ａは、明度のみではなく色相や彩度も用いて処理を行うことができる。例えば、特定色と色が似ていることを示す閾値が明度，色相，彩度のいずれか一つ又はいずれか複数に対し設定される。背景画像加工部６ａは、この閾値を用いることにより、各画素の色が特定色と似ているか否か判断する。そして、特定色に似ていると判断された画素に対し、背景画像加工部６ａは、その画素の色を特定色に変更しても良い。
【００５０】
〈〈明度操作処理〉〉
明度操作処理は、特定色が白色である場合にのみ有効である。明度操作処理では、背景画像加工部６ａは、背景画像の明度を高くする。背景画像の明度が高くなることにより、背景画像の白色部分が増加する。
【００５１】
〈〈パターン静的付加処理〉〉
パターン静的付加処理では、背景画像加工部６ａは、予め用意されているパターンのうちの一つを背景画像に均一に合成することにより加工背景画像を生成する。予め用意されているパターンは、特定色（ここでは白色）を含むパターンである。
【００５２】
図３は、パターン静的付加処理において予め用意されているパターンの例を示す図である。図３に示される各パターンの白色部分が加工背景画像における白色部分となり、図３に示される各パターンの黒色部分が加工背景画像において加工前の背景画像の画像が残る部分（透過部分）となる。このような縦縞（ストライプ）のパターンに限らず、どのような模様のパターンが用意されても良い。例えば、市松模様，網目模様，ステンドグラス模様，横縞，斜縞，水玉模様などの幾何学模様に基づいたパターンであっても良い。
【００５３】
また、パターン静的付加処理では、図３の（ａ），（ｂ），（ｃ）に示されるように同じ縦縞のパターンであっても、含まれる白色部分の量が異なる複数のパターンが用意されても良い。例えば、図３（ａ）に示される縦縞のパターンが使用される場合は、図３（ｂ）や図３（ｃ）に示される縦縞のパターンが使用される場合に比べて、加工前の背景画像の情報がより多く加工背景画像に残り画質の高い変換画像が生成される一方でインクの節約の度合いは小さい。これに対し、図３（ｃ）に示される縦縞のパターンが使用される場合は、図３（ａ）や図３（ｂ）に示される縦縞のパターンが使用される場合に比べて、加工背景画像における白色部分が増加しインクの節約の度合いが大きくなる一方で変換画像の画質は低下する。いずれのパターンが使用されるかは、ユーザにより設定されて良い。例えば、ユーザがインク節約度合いを小さく設定した場合は図３（ａ）のパターンが使用され、ユーザがインク節約度合いを高く設定した場合は図３（ｃ）のパターンが使用されても良い。また、このような白色部分の量が異なるパターンは３種類に限定される必要はなく、さらに多くのパターンが用意されても良い。
【００５４】
〈〈パターン動的付加処理〉〉
パターン動的付加処理では、背景画像加工部６ａは、予め用意されている特定色（ここでは白色）を含むパターン（例えば、円などの幾何学図形を基本図形としたハーフトーン（網点）や、幅が可変の縞模様など）を、背景画像の各部分の色に応じた割合で合成することにより加工背景画像を生成する。特に、特定色が白色の場合は、背景画像加工部６ａは、背景画像の各部分の明度に応じた割合で上記のパターンを合成することにより、加工背景画像を生成する。背景画像の各部分の明度とは、所定の複数のブロックに分割された背景画像において、各ブロックに含まれる画素の明度の統計値（例えば重心や平均など）をいう。背景画像加工部６ａは、パターンの密度や大きさを変更することにより、特定色を含むパターンの割合を変化させる。パターンの大きさとは、例えば白色の幾何学図形の大きさや白色の縞の幅などである。また、パターンの密度とは、例えば白色の幾何学図形の密度（具体的には隣の幾何学図形との距離など）や白色の縞の密度（具体的には隣の白色の縞との距離など）などである。以下、大きさが変化する白色の円のパターンを用いる場合を例として説明する。
【００５５】
図４は、白色の円の大きさ（例えば半径）を決定するためのグラフを示す図である。図４のグラフでは、横軸（Ｌ）は明度を示し、縦軸（Ｓ）は白色の円の大きさを示す。Ｓｍａｘは、白色の円の最大の大きさを示す。ａは、白色の円のパターンが合成され始める明度の閾値を示す。即ち、明度がａ以上の部分に対して白色の円のパターンが合成される。ｂは、白色の円が最大となる際の明度の値を示す。
【００５６】
例えば、Ｓｍａｘ，ａ，ｂの値がパラメタとして与えられることにより、図４の（ａ）〜（ｃ）の各グラフは変化し、結果として加工背景画像に含まれる白色部分の量が変化す
る。これらの値は、ユーザによって直接的に設定されても良い。また、これらの値は以下のようにユーザによって間接的に設定されても良い。例えば、ユーザがインク節約度合いを小さく設定した場合、背景画像加工部６ａはａ，ｂの値を高く、Ｓｍａｘの値を低く設定しても良い。また、ユーザがインク節約度合いを高く設定した場合は、背景画像加工部６ａはＳｍａｘの値を高く、ａ，ｂの値を低く設定しても良い。
【００５７】
また、図４（ａ）〜（ｃ）のいずれの形のグラフを用いるかについても、ユーザによって設定されても良い。例えば、ユーザがインク節約の度合いを小さく設定した場合は、図４（ａ）のグラフが設定され、ユーザがインク節約の度合いを高く設定した場合は、図４（ｂ）のグラフが設定されても良い。また、図４（ｃ）のようなグラフを用いることにより、明度の低い部分については緩やかにパターンの大きさが変化し、ある所定の明度（例えば“ｃ”という値）付近で急激にパターンの大きさが変化するように設定することも可能である。なお、図４（ａ）〜（ｃ）のグラフの形は例示であり、他の形のグラフによって表されても良い。
【００５８】
また、上記の説明では円の大きさを変化させる場合について説明したが、背景画像加工部６ａは、大きさ及び密度を変化させても良い。背景画像加工部６ａは、生成された加工背景画像を画像記憶部４に記憶させる。そして、背景画像加工部６ａは、合成部７に対して処理を実施するように指示する。
【００５９】
〈合成部〉
合成部７は、画像記憶部４に記憶されている加工背景画像を原画像に合成することにより変換画像を生成する。このとき、合成部７は、背景画像取得部５からマスク画像を受け取ることにより合成処理を行っても良い。合成部７の処理により、加工背景画像を背景として含む画像（変換画像）が生成される。
【００６０】
〈画像出力部〉
画像出力部８は、合成部７によって生成された変換画像のデータを画像変換装置１ａの外部へ出力するためのインタフェースとして機能する。画像出力部８によって、画像変換装置１ａから、変換画像のデータが画像変換装置１ａの外部へ出力される。画像出力部８は、画像変換装置１ａから変換画像のデータを出力するためのどのような既存技術を用いて構成されても良い。
【００６１】
例えば、ネットワークを介して変換画像のデータが画像変換装置１ａから出力されても良い。この場合、画像出力部８はネットワークインタフェースを用いて構成される。また、パーソナルコンピュータ等の他の情報処理装置や記録装置へ変換画像のデータが出力されても良い。この場合、画像出力部８は、パーソナルコンピュータ等の他の情報処理装置や記録装置と画像変換装置１ａとをデータ通信可能に接続する規格に応じて構成される。また、記録媒体に対し変換画像のデータが出力（書き込み）されても良い。この場合、画像出力部８は、これらの記録装置又は記録媒体へデータを書き込む装置（例えばフラッシュメモリライタやフロッピーディスクドライブやＣＤ−ＲドライブやＤＶＤ−Ｒドライブ）を用いて構成される。
【００６２】
また、画像変換装置１ａが、プリンタやディスプレイ等の画像出力装置の内部に含まれ、プリントアウトされる画像のデータやディスプレイに表示される画像のデータとして変換画像のデータが出力されるように構成されても良い。この場合、画像出力部８は、画像変換装置１ａにおいて生成された変換画像のデータをこれらの画像出力装置において取り扱い可能なデータに変換する装置などを用いて構成される。
【００６３】
また、画像出力部８は上記された複数の場合に応じることが可能となるように構成され
ても良い。
【００６４】
〔動作例〕
図５は、画像変換装置１ａの動作例を示すフローチャートである。以下、図５を用いて画像変換装置１ａの動作例について説明する。画像入力部３を介して原画像が入力されると、画像記憶部４は入力された原画像のデータを記憶する（Ｓ０１）。次に、ユーザからの入力が入力部２を介して入力される。背景画像取得部５や背景画像加工部６ａは、ユーザの入力に応じてパラメタを取得する（Ｓ０２）。
【００６５】
次に、背景画像取得部５は、画像記憶部４に記憶される原画像から注目領域を特定する。背景画像取得部５は、特定された注目領域についてマスキングを実施することにより、背景画像を取得する（Ｓ０３）。そして、背景画像取得部５は、取得された背景画像を画像記憶部４に記憶させる。背景画像取得部５は、例えば画像記憶部４における背景画像のアドレスを渡すこと等により、背景画像加工部６ａに処理を引き継ぐ。
【００６６】
背景画像加工部６ａは、画像記憶部４に記憶される背景画像の元となった原画像がＬａｂ画像であるか否か判断する（Ｓ０４）。原画像がＬａｂ画像でない場合（Ｓ０４−Ｎｏ）、背景画像加工部６ａは、背景画像をＬａｂ画像に変換する（Ｓ０５）。原画像がＬａｂ画像である場合（Ｓ０４−Ｙｅｓ）、又はＳ０５の処理の後、背景画像加工部６ａは、画像記憶部４に記憶される背景画像に対し、ユーザの入力から取得されたパラメタに従って加工を行い、加工背景画像を生成する（Ｓ０６）。背景画像加工部６ａは、原画像がＬａｂ画像でない場合には（Ｓ０７−Ｎｏ）、加工背景画像を原画像の形式に変換する（Ｓ０８）。原画像がＬａｂ画像である場合（Ｓ０７−Ｙｅｓ）、又はＳ０８の処理の後、合成部７は合成処理を行うことにより変換画像を生成し画像記憶部４に記憶させる（Ｓ０９）。そして、画像出力部８は画像記憶部４に記憶される変換画像を出力する（Ｓ１０）。
【００６７】
〔作用／効果〕
画像変換装置１ａでは、背景画像取得部５が注目領域を検出し、背景画像加工部６ａが注目領域以外の部分（背景画像）に対しシートの地色（例えば白色）と同色の部分を増加させる加工を行う。このため、画像変換装置１ａによって出力される変換画像は、原画像に比べてシートの地色の部分が多い。従って、変換画像を印刷する際に、シートの地色と同色の部分についてはインクを用いずに印刷を行うことにより、自然にインクの使用量を節約することが可能となる。即ち、画像変換装置１ａによれば、印刷時に使用されるインクの量を節約することが可能な画像を生成することが可能となる。さらに、画像変換装置１ａでは、背景画像についてのみ加工が実施される。このため、注目部分（例えば人の顔や人の全身や肌色部分など）には加工が実施されず、注目部分の画質が低下することが防止される。
【００６８】
具体的には、特にシートの地色が白色である場合には、明度操作処理を行うことにより、印刷時に使用されるインクの量を節約可能な変換画像、即ち背景に白色部分を多く含む画像を取得することができる。また、特定色化処理，パターン静的付加処理，パターン動的付加処理を行うことによっても、印刷時に使用されるインクの量を節約可能な変換画像、即ち背景に特定色部分（例えば白色部分）を多く含む画像を取得することができる。なお、画像変換装置１ａにより取得される変換画像を印刷することにより、インクに限らず、トナーの使用量やコストを削減することも可能である。
【００６９】
図６は、原画像と変換画像の例を示す図である。図６（ａ）は原画像の例であり、図６（ｂ）は変換画像の例である。図（ｂ）は、人の全身が注目領域として設定され、縦縞のパターンを用いた加工が実施された場合の変換画像である。このため、図６（ｂ）では、被写体となった３人の全身以外の背景画像に、白色の縦縞のパターンを用いた加工が実施
されている。従って、この変換画像を印刷する際には、背景画像に与えられた白色の縦縞の部分についてインクの使用量を節約することが可能となる。一方で、注目領域である人の全身には加工がされていないため、画質を維持することが可能である。
【００７０】
また、副次的効果として、注目部分の画質を低下させることなく背景に様々なパターンを付加させることにより、遊技的用途に供することも可能である。
【００７１】
〔変形例〕
画像変換装置１ａは、さらに表示部を備え、変換画像のプレビューを実施するように構成されても良い。このとき、表示部は、変換画像とともに原画像を表示するように構成されても良い。また、表示部は、一つの原画像から生成可能な複数種の変換画像を表示するように構成されても良い。このとき、入力部２は、ユーザからの選択を受け付けることにより、ユーザが表示された複数種の変換画像の中から一つの変換画像を選択可能となるように構成されても良い。
【００７２】
また、表示部は、変換画像を印刷することにより節約されるインク量の概算値や程度を表示するように構成されても良い。
【００７３】
また、背景画像取得部５及び又は背景画像加工部６ａは、一度ユーザによって入力された設定やパラメタを記憶することにより、その後の処理においても記憶している設定やパラメタに基づいて処理を行うように構成されても良い。このように構成されることにより、図５のフローチャートにおけるＳ０２の処理を省き、ＳＴＡＲＴからＥＮＤまでの処理を、人手を介することなく実施することが可能となる。
【００７４】
［第二実施形態］
〔システム構成〕
次に、画像変換装置１の第二実施形態である画像変換装置１ｂのシステム構成について、画像変換装置１ａと異なる部分についてのみ説明する。図７は、画像変換装置１ｂの機能ブロックの例を示す図である。画像変換装置１ｂは、背景画像加工部６ａに代えて背景画像加工部６ｂを備える点、及び印刷データ変換部９をさらに備える点で画像変換装置１ａと異なる。以下、背景画像加工部６ｂと印刷データ変換部９とについて説明する。
【００７５】
〈背景画像加工部〉
背景画像加工部６ｂは、背景画像においてグレースケールで表現可能な色の部分を増加させる（言い換えれば減色を行う）ことにより加工背景画像を作成する点で背景画像加工部６ａと異なる。背景画像加工部６ｂは、全体減色処理又は部分減色処理のいずれかを実施することにより減色の処理を行う。以下、背景画像加工部６ｂが実施する二つの処理について説明する。なお、背景画像加工部６ｂが全体減色処理と部分減色処理のいずれかを実施するかは、ユーザによる入力によって選択されても良いし、予め設定されていても良い。
【００７６】
〈〈全体減色処理〉〉
全体減色処理では、背景画像加工部６ｂは、背景画像の各画素の彩度を無くす処理を行う。彩度を無くす処理とは、例えば彩度の値をゼロとすることにより、その画素の色をグレースケールの色に変える処理をいう。従って、例えば、背景画像加工部６ｂは、Ｌａｂ画像である背景画像のａ及びｂの値をゼロとすることにより全体減色処理を実施する。背景画像加工部６ｂは、背景画像がＬａｂ画像でない場合（即ち原画像がＬａｂ画像でない場合）は、背景画像をＬａｂ画像に変換しても良い。この場合、背景画像加工部６ｂは、加工背景画像を元の画像の形式に変換し直す必要がある。
【００７７】
〈〈部分減色処理〉〉
部分減色処理では、背景画像加工部６ｂは、背景画像において彩度が低い部分のみ、彩度を無くす処理を行う。例えば、背景画像加工部６ｂは、ＨＳＶ画像である背景画像の各画素において、Ｓ（Saturation：彩度）の値と所定の閾値とを比較する。そして、背景画像加工部６ｂは、Ｓの値が閾値よりも小さい画素についてのみ、彩度を無くす処理を行う。この場合、節約されるインクの使用量は、Ｔｈ＿ｓの増加関数として得られる。
【００７８】
〈印刷データ変換部〉
印刷データ変換部９は、変換画像が印刷される際に、黒の部分にカラーインク（例えばＣインク，Ｍインク，Ｙインク）が使用されないように、言い換えれば黒の部分に黒インク（Ｋインク）が使用されるように、変換画像を印刷用のデータに変換する。
【００７９】
例えば、印刷データ変換部９は、変換画像をＣＭＹＫ表色系の画像に色分解し、Ｋ画像における値が閾値を超えている画素についてのみ、Ｃ，Ｍ，Ｙの値をゼロとする。このとき、印刷データ変換部９は、Ｋ画像における値が閾値を超えていない画素については、Ｃ，Ｍ，Ｙの値は操作しない。このような処理は、ＣＭＹＫ表色系に限らず、他の表色系によって実施されても良い。例えば、印刷データ変換部９は、ＲＧＢ表色系において、Ｒ値とＧ値とＢ値との平均が閾値（例えば“２４０”）以上である場合に、Ｃ，Ｍ，Ｙの値をゼロとしても良い。
【００８０】
〔動作例〕
図８は、画像変換装置１ｂの動作例を示すフローチャートである。図８において、画像変換装置１ａと同じ処理については、図５におけるフローチャートと同じ符号を付す。以下、画像変換装置１ｂの動作例について、画像変換装置１ａの動作例と異なる処理について説明する。
【００８１】
原画像がＬａｂ画像である場合（Ｓ０４−Ｙｅｓ）、又はＳ０５の処理の後、背景画像加工部６ｂは、画像記憶部４に記憶される背景画像に対し、ユーザの入力から取得されたパラメタに従って加工を行い、加工背景画像を生成する（Ｓ１１）。背景画像加工部６ｂは、原画像がＬａｂ画像でない場合には（Ｓ０７−Ｎｏ）、加工背景画像を原画像の形式に変換する（Ｓ０８）。原画像がＬａｂ画像である場合（Ｓ０７−Ｙｅｓ）、又はＳ０８の処理の後、合成部７は合成処理を行うことにより変換画像を生成し画像記憶部４に記憶させる（Ｓ０９）。
【００８２】
次に、印刷データ変換部９は、変換画像をＣＭＹＫ表色系に色分解する（Ｓ１２）。そして、印刷データ変換部９は、各画素のＫの値に基づいて、ＣＭＹの値をゼロとするか否か判断し、必要に応じてＣＭＹの値をゼロとすることにより、印刷データ変換処理を行う（Ｓ１３）。印刷データ変換部９は、Ｓ１３の処理の結果として取得される変換画像を、画像記憶部４に記憶させる。この後、画像出力部８は画像記憶部４に記憶されている変換画像を出力する（Ｓ１４）。
【００８３】
〔作用／効果〕
画像変換装置１ｂでは、背景画像取得部５によって背景画像が自動的に取得され、背景画像加工部６ｂによって背景画像におけるグレースケールの色の部分が増加される。このようなグレースケールの色の部分は、コストの安い黒色インクのみによって印刷することが可能である。このため、グレースケールの色の部分が増加することにより、画像を印刷した際のインクのコストが抑えられる。
【００８４】
また、画像変換装置１ｂでは、背景画像加工部６ｂによって部分減色処理が実施される場合もある。全体減色処理が実施された場合は、背景画像全ての画素の色がグレースケールの色に変換されてしまう。しかし、部分減色処理が実施された場合は、所定の色につい
てはグレースケール化されないように設定することが可能となる。例えば、画像変換装置１ｂは、部分減色処理を実施することにより、彩度の低い画素についてのみグレースケール化を実施することも可能である。彩度の高い色は、グレースケール化した際にその差異が目立ってしまうが、彩度の低い色はグレースケール化した際にもその差異はあまり目立たない。このため、画像変換装置１ｂは、例えば彩度の低い画素についてのみグレースケール化を実施することにより、より自然にグレースケール化を行うことが可能となる。
【００８５】
また、画像変換装置１ｂでは、印刷データ変換部９が、Ｋの値が閾値を超えた画素、即ち黒に近い色を有する画素については黒色以外の色情報をゼロに設定する。このため、これらの画素を印刷する際にカラーインクを使用する必要がなくなり、又はカラーインクを使用しなくなり、インクのコストを抑えることが可能となる。
【００８６】
〔変形例〕
部分減色処理において、背景画像加工部６ｂは、彩度のみならず色相の値にさらに基づいて、彩度を無くす処理を行うべきか否か判断しても良い。例えば、背景画像加工部６ｂは、色相が所定の範囲の値であるか否かに基づいて判断しても良い。具体的には、黒と相関の高い色（例えばシアンなど）は、その彩度が下げられたとしても目に見える影響が小さい。このため、背景画像加工部６ｂは、黒と相関の高い色を、色相及び／又は彩度を用いて判断しても良い。そして、背景画像加工部６ｂは、黒と相関の高い色を有する画素については、彩度を無くす処理を行っても良い。例えば、背景画像加工部６ｂは、数１に示されるＳ及びＨ（Hue：色相）を満たす画素についてのみ、彩度を無くす処理行っても良
い。なお、数１において、Ｔｈ＿ｓは彩度についての閾値を示し、Ｔｈ＿ｈ１，Ｔｈ＿ｈ２は色相についての閾値を示す。
【００８７】
【数１】
2006108723.tif 000003
また、この場合、節約されるインクの使用量は、Ｔｈ＿ｓ及び数２で算出されるｄＴｈ＿ｈの二つの値の増加関数として得られる。
【００８８】
【数２】
2006108723.tif 000004
また、画像変換装置１ｂは、印刷データ変換部９を備えなくとも良い。この場合、出力される変換画像が印刷される際に、黒い部分が黒インクを用いて印刷されればインクコストの節約を実現できる。
【００８９】
また、画像変換装置１ｂは、背景画像取得部５，背景画像加工部６ａ，合成部７を備えなくとも良い。この場合、印刷データ変換部９により実施される処理のみによって、インクコストの節約を実現できる。この場合、黒に近い色、言い換えれば通常は黒インクのみならず他の色の混色によって印刷される色が、黒インクのみによって印刷されることにより、節約が実現される。
【図面の簡単な説明】
【００９０】
【図１】画像変換装置の第一実施形態の機能ブロックの例を示す図である。
【図２】マスク画像の例を示す図である。
【図３】縦縞パターンの例を示す図である。
【図４】明度とパターンの大きさの関係を示すグラフの例を示す図である。
【図５】画像変換装置の第一実施形態の動作例を示すフローチャートである。
【図６】画像変換装置の第一実施形態により生成された変換画像の例を示す図である。
【図７】画像変換装置の第二実施形態の機能ブロックの例を示す図である。
【図８】画像変換装置の第二実施形態の動作例を示すフローチャートである。
【符号の説明】
【００９１】
１ａ，１ｂ  画像変換装置
２          入力部
３          画像入力部
４          画像記憶部
５          背景画像取得部
６ａ，６ｂ  背景画像加工部
７          合成部
８          画像出力部
９          印刷データ変換部
【図１】
2006108723.tif 000005
【図２】
2006108723.tif 000006
【図３】
2006108723.tif 000007
【図４】
2006108723.tif 000008
【図５】
2006108723.tif 000009
【図６】
2006108723.tif 000010
【図７】
2006108723.tif 000011
【図８】
2006108723.tif 000012